(57)【要約】【課題】容器に対して特に上下方向の衝撃の緩衝効果の向上を図る。【解決手段】この仕切りＨは、一対の側面プレート２１，２２と、各側面プレート２１，２２の間で上部側に架設され、バイアルＶの外周面に当接して保持可能な穴２３０を有する中間上部プレート２３と、各側面プレート２１，２２の間で下部側に架設され、バイアルＶの底部を弾性的に支持可能な座部２５を有する中間下部プレート２４とを備え、バイアルＶに対して側方からの衝撃及び上下方向の衝撃を緩衝、吸収する。【選択図】図１６
2016150775.tif 000002
【特許請求の範囲】
【請求項１】
バイアルその他のボトル形の容器を包装するのに使用する包装用箱内に包装用箱と別体で設置され、前記容器を保持する緩衝機能付き仕切りにおいて、
前記包装用箱の相互に対向する両側板の内面に対接可能な一対の側面プレートと、
前記一対の側面プレートの間で上部側に架設される中間上部プレート、及び前記中間上部プレートに当該中間上部プレートの上下面を貫通して形成され、容器の外周面に当接して保持可能な穴と、
前記一対の側面プレートの間で当該各側面プレートの下部から所定の高さに架設される中間下部プレート、及び前記中間下部プレートに当該中間下部プレートの上下面を貫通して付設された一対の切り込み線によりその間に上下方向に変形可能に形成され、容器の底部を弾性的に支持可能な座部と、
を備える、
ことを特徴とする緩衝機能付き仕切り。
【請求項２】
一対の側面プレート、中間上部プレート及び中間下部プレートは水平方向に長く形成されて、前記中間上部プレートに複数の穴が設けられ、前記中間下部プレートに前記中間上部プレートの前記各穴に対応して複数の座部が設けられる請求項１に記載の緩衝機能付き仕切り。
【請求項３】
中間上部プレートは一対の側面プレートの間の上部側に上下２段にして相互の間に緩衝空間を介して設けられる請求項１又は２に記載の緩衝機能付き仕切り。
【請求項４】
中間上部プレートの穴は、容器の外周面に対応する形状に形成されるとともに、前記穴の縁部に複数の突起が当該穴の中心に向けて突設される請求項１乃至３のいずれかに記載の緩衝機能付き仕切り。
【請求項５】
中間上部プレート及び／又は中間下部プレートの両端にそれぞれ外側に向けて突出するフラップを具備する請求項１乃至４のいずれかに記載の緩衝機能付き仕切り。
【請求項６】
一対の側面プレートの間で下部に底部プレートが架設され、前記底部プレートと中間下部プレートとの間に緩衝空間が形成される請求項１乃至５のいずれかに記載の緩衝機能付き仕切り。
【請求項７】
一対の側面プレートの一方が上方に延ばされてその延長端から略水平方向に向けて蓋プレートが形成される請求項１乃至６のいずれかに記載の緩衝機能付き仕切り。
【請求項８】
蓋プレートは一方の側面プレートの延長端に薄形の略角筒状に形成されて、外蓋プレートと、内蓋プレートとを有し、前記内蓋プレートに当該内蓋プレートの上下面を貫通して付設された一対の切り込み線によりその間に上下方向に変形可能に形成され、容器の上部を弾性的に支持可能な押え部を備える請求項７に記載の緩衝機能付き仕切り。
【請求項９】
全体が、一枚のブランクシートから一体的に打ち抜かれて形成される一枚の紙基材からなり、
前記紙基材は、
全体として縦長の長方形に形成され、その略中央で所定の大きさを有する横長の長方形に形成されて、仕切りの組み立て時に仕切りの底部プレートをなす底部プレート形状部と、
前記底部プレート形状部の一方の長辺側に折れ線を介して連接され、所定の大きさを有する横長の長方形に形成されて、仕切りの組み立て時に仕切りの一方の蓋側面プレートを含む一方の側面プレートをなす一方の側面プレート形状部と、
前記一方の側面プレート形状部の前記底部プレートとは反対側の長辺側に折れ線を介して連接され、所定の大きさを有する横長の長方形に形成されて、仕切りの組み立て時に仕切りの外蓋プレートをなす外蓋プレート形状部と、
前記外蓋プレート形状部の前記一方の側面プレート形状部とは反対側の長辺側に折れ線を介して連接され、所定の大きさを有する横長の長方形に形成されて、仕切りの組み立て時に仕切りの他方の蓋側面プレートをなす他方の蓋側面プレート形状部と、
前記他方の蓋側面プレート形状部の前記外蓋プレート形状部とは反対側の長辺側に折れ線を介して連接され、前記外蓋プレート形状部と同じ大きさを有する横長の長方形に形成され、その一方の短辺側から他方の短辺側に向けて所定の間隔で長辺方向に並列に短辺方向に延びる押え部を形成するための複数の一対の切り込み線を付設されて、仕切りの組み立て時に仕切りの内蓋プレートをなす内蓋プレート形状部と、
前記内蓋プレート形状部の前記他方の蓋側面プレート形状部とは反対側の長辺側に折れ線を介して連接され、所定の大きさを有する横長の長方形に形成されて、仕切りの組み立て時に前記一方の側面プレートの内面に接着される仕切りの一端の接着片をなす一端の接着片形状部と、
前記底部プレート形状部の他方の長辺側に折れ線を介して連接され、前記一方の側面プレート形状部と同じ長さで前記一方の側面プレート形状部よりも幅が短い横長の長方形に形成されて、仕切りの組み立て時に仕切りの他方の側面プレートをなす他方の側面プレート形状部と、
前記他方の側面プレート形状部の前記底部プレート形状部とは反対側の長辺側に折れ線を介して連接され、前記外蓋プレート形状部、前記内蓋プレート形状部と同じ大きさの横長の長方形に形成され、その一方の短辺側から他方の短辺側に向けて所定の間隔で複数の穴が容器の外周面に対応する形状に形成されるとともに、前記各穴の縁部に複数の突起が当該各穴の中心に向けて穿設されて、仕切りの組み立て時に仕切りの中間上部プレートをなす中間上部プレート形状部、及び前記中間上部プレートの両端にそれぞれ外側に向けて突出されるフラップ形状部と、
前記中間上部プレート形状部の前記他方の側面プレート形状部とは反対側の長辺側に折れ線を介して連接され、所定の大きさを有する横長の長方形に形成されて、仕切りの組み立て時に前記一方の側面プレートの内面に接着される仕切りの一方の中間接着プレートをなす一方の中間接着プレート形状部と、
前記一方の中間接着プレート形状部の前記中間上部プレート形状部とは反対側の長辺側に折れ線を介して連接され、前記中間上部プレート形状部と同じ大きさを有する横長の長方形に形成され、その一方の短辺側から他方の短辺側に向けて所定の間隔で長辺方向に並列に短辺方向に延びる座部を形成するための複数の一対の切り込み線を付設されて、仕切りの組み立て時に仕切りの中間下部プレートをなす中間下部プレート形状部と、
前記中間下部プレート形状部の前記一方の中間接着プレート形状部とは反対側の長辺側に折れ線を介して連接され、所定の大きさを有する横長の長方形に形成されて、仕切りの組み立て時に前記他方の側面プレートの内面に接着される仕切りの他方の中間接着プレートをなす他方の中間接着プレート形状部と、
前記他方の中間接着プレート形状部の前記中間下部プレート形状部とは反対側の長辺側に折れ線を介して連接され、前記中間下部プレート形状部と同じ大きさの横長の長方形に形成され、その一方の短辺側から他方の短辺側に向けて所定の間隔で複数の穴を穿設されて、仕切りの組み立て時に仕切りの中間上部プレートをなす中間上部プレート形状部と、
前記中間上部プレート形状部の前記他方の中間接着プレート形状部とは反対側の長辺側に折れ線を介して連接され、所定の大きさを有する横長の長方形に形成されて、仕切りの組み立て時に前記一方の中間接着プレートの内面に接着される仕切りの他端の接着片をなす他端の接着片形状部と、
を有する、
請求項１に記載の緩衝機能付き仕切り。
【請求項１０】
バイアルその他のボトル形の容器を包装するのに使用する包装用箱において、
請求項１乃至９のいずれかに記載の緩衝機能付き仕切りを備える、
ことを特徴とする包装用箱。
【発明の詳細な説明】
【技術分野】
【０００１】
本発明は、緩衝機能付き仕切り及びこれを備えた包装用箱に関し、特に、包装用箱（箱本体）と別体で、薬剤を収納するバイアルその他のボトル形の容器を包装するのに使用する緩衝機能付き仕切り及びこれを備えた包装用箱に関する。
【背景技術】
【０００２】
従来、複数本のバイアルを包装するのに使用する包装用箱は、天面に天蓋で開閉される開口を有し、各バイアルを単列又は複列に並べて収容可能な大きさの箱本体と、箱本体内に設置され、各バイアルを各別に保持するための複数の穴を所定の間隔をあけて形成された仕切りとを備えて構成され、各バイアルが箱本体内で仕切りの各穴に保持されて、バイアル同士が接触して破損しないようになっている。
【０００３】
この種の仕切りを備えた包装用箱で、特に、箱本体と仕切りが別体のものが特許文献１、２などにより提案されている。
特許文献１は、医薬品、化粧品などのびんの集積包装体に関するもので、この文献１には、角形のカートンと、このカートン内に設置される支持体（仕切り）が開示されている。この場合、カートンは、テーパーの付いたロの字形の断面を有する角柱状で、支持体は上板に包装されるびんの本数だけ孔が開けられ、また、孔の周辺には切り込みがあり、その孔径をびんの胴部径より僅かに小さくしてびんをしっかり固定するようになっている。また、支持体の側壁はテーパーが付けられて、カートン内に挿入し易くしてある。このような支持体がカートン内に（上面の開口から）挿入設置されて、複数のびんが支持体の孔に押し込まれて収納される。
特許文献２は、バイアル瓶などの容器を輸送する際に使用する容器ホルダーに関するもので、この文献２には、角形の輸送容器と、この輸送容器内に収容される容器ホルダー（仕切り）が開示されている。この場合、容器ホルダーは、バイアル瓶の外径に対応する楕円状の容器支持穴を形成した左右の内面板がその中間折り目に沿ってく字状に折り曲げられ、貼着片が左右の側板内面に貼着されて形成され、対向する左右の容器支持穴にバイアル瓶を収容すると、バイアル瓶の外周面の略左右一半部が一方の容器支持穴の周縁部によって保持され、バイアル瓶の外周面の略左右他半部が、一方の容器支持穴の周縁部による保持位置と異なる高さ位置において、他方の容器支持穴の周縁部によって保持されるようになっている。かかる容器ホルダーにバイアル瓶が保持されて、輸送容器内に収納される。
【先行技術文献】
【特許文献】
【０００４】
【特許文献１】特開平９−２５２５号公報
【特許文献２】特開２００２−５３１２４号公報
【発明の概要】
【発明が解決しようとする課題】
【０００５】
ところで、従来の仕切り付きの包装用箱では、仕切りにバイアルの外周面に当接して保持可能な穴が設けられるので、バイアルに対して側方からの衝撃には良好な緩衝効果が得られるものの、底の構造にあっては、仕切りの底板と箱本体の底板の２重底になっているだけなので、バイアルに対して上下方向の衝撃には緩衝効果が低く、特に複数本のバイアルを一つの箱に収納する場合は、箱全体の重量が増すため、緩衝効果は著しく低下する、という問題がある。さらに、１本当たりの重量が大きいバイアルに対しては、１本当たりの重量が増すため、緩衝効果がさらに著しく低下する、という問題がある。
【０００６】
本発明は、このような従来の問題を解決するもので、包装用箱（箱本体）と別体で、薬剤を収納するバイアルその他のボトル形の容器を包装するのに使用する緩衝機能付き仕切り、及びこれを備えた包装用箱において、容器に対して特に上下方向の衝撃の緩衝効果の向上を図ること、を目的とする。
【課題を解決するための手段】
【０００７】
上記目的を達成するために、本発明は、
バイアルその他のボトル形の容器を包装するのに使用する包装用箱内に包装用箱と別体で設置され、前記容器を保持する緩衝機能付き仕切りにおいて、
（イ）前記包装用箱の相互に対向する両側板の内面に対接可能な一対の側面プレートと、
（ロ）前記一対の側面プレートの間で上部側に架設される中間上部プレート、及び前記中間上部プレートに当該中間上部プレートの上下面を貫通して形成され、容器の外周面に当接して保持可能な穴と、
（ハ）前記一対の側面プレートの間で当該各側面プレートの下部から所定の高さに架設される中間下部プレート、及び前記中間下部プレートに当該中間下部プレートの上下面を貫通して付設された一対の切り込み線によりその間に上下方向に変形可能に形成され、容器の底部を弾性的に支持可能な座部と、
を備える、
ことを要旨とする。
また、この仕切りは、次のような構成を併せて備える。
（１）一対の側面プレート、中間上部プレート及び中間下部プレートは水平方向に長く形成されて、前記中間上部プレートに複数の穴が設けられ、前記中間下部プレートに前記中間上部プレートの前記各穴に対応して複数の座部が設けられる。
（２）中間上部プレートは一対の側面プレートの間の上部側に上下２段にして相互の間に緩衝空間を介して設けられる。
（３）中間上部プレートの穴は、容器の外周面に対応する形状に形成されるとともに、前記穴の縁部に複数の突起が当該穴の中心に向けて突設される。
（４）中間上部プレート及び／又は中間下部プレートの両端にそれぞれ外側に向けて突出するフラップを具備する。
（５）一対の側面プレートの間で下部に底部プレートが架設され、前記底部プレートと中間下部プレートとの間に緩衝空間が形成される。
（６）一対の側面プレートの一方が上方に延ばされてその延長端から略水平方向に向けて蓋プレートが形成される。
（７）上記（６）において、蓋プレートは一方の側面プレートの延長端に薄形の略角筒状に形成されて、外蓋プレートと、内蓋プレートとを有し、前記内蓋プレートに当該内蓋プレートの上下面を貫通して付設された一対の切り込み線によりその間に上下方向に変形可能に形成され、容器の上部を弾性的に支持可能な押え部を備える。
（８）全体が、一枚のブランクシートから一体的に打ち抜かれて形成される一枚の紙基材からなり、
前記紙基材は、
全体として縦長の長方形に形成され、その略中央で所定の大きさを有する横長の長方形に形成されて、仕切りの組み立て時に仕切りの底部プレートをなす底部プレート形状部と、
前記底部プレート形状部の一方の長辺側に折れ線を介して連接され、所定の大きさを有する横長の長方形に形成されて、仕切りの組み立て時に仕切りの一方の蓋側面プレートを含む一方の側面プレートをなす一方の側面プレート形状部と、
前記一方の側面プレート形状部の前記底部プレートとは反対側の長辺側に折れ線を介して連接され、所定の大きさを有する横長の長方形に形成されて、仕切りの組み立て時に仕切りの外蓋プレートをなす外蓋プレート形状部と、
前記外蓋プレート形状部の前記一方の側面プレート形状部とは反対側の長辺側に折れ線を介して連接され、所定の大きさを有する横長の長方形に形成されて、仕切りの組み立て時に仕切りの他方の蓋側面プレートをなす他方の蓋側面プレート形状部と、
前記他方の蓋側面プレート形状部の前記外蓋プレート形状部とは反対側の長辺側に折れ線を介して連接され、前記外蓋プレート形状部と同じ大きさを有する横長の長方形に形成され、その一方の短辺側から他方の短辺側に向けて所定の間隔で長辺方向に並列に短辺方向に延びる押え部を形成するための複数の一対の切り込み線を付設されて、仕切りの組み立て時に仕切りの内蓋プレートをなす内蓋プレート形状部と、
前記内蓋プレート形状部の前記他方の蓋側面プレート形状部とは反対側の長辺側に折れ線を介して連接され、所定の大きさを有する横長の長方形に形成されて、仕切りの組み立て時に前記一方の側面プレートの内面に接着される仕切りの一端の接着片をなす一端の接着片形状部と、
前記底部プレート形状部の他方の長辺側に折れ線を介して連接され、前記一方の側面プレート形状部と同じ長さで前記一方の側面プレート形状部よりも幅が短い横長の長方形に形成されて、仕切りの組み立て時に仕切りの他方の側面プレートをなす他方の側面プレート形状部と、
前記他方の側面プレート形状部の前記底部プレート形状部とは反対側の長辺側に折れ線を介して連接され、前記外蓋プレート形状部、前記内蓋プレート形状部と同じ大きさの横長の長方形に形成され、その一方の短辺側から他方の短辺側に向けて所定の間隔で複数の穴が容器の外周面に対応する形状に形成されるとともに、前記各穴の縁部に複数の突起が当該各穴の中心に向けて穿設されて、仕切りの組み立て時に仕切りの中間上部プレートをなす中間上部プレート形状部、及び前記中間上部プレートの両端にそれぞれ外側に向けて突出されるフラップ形状部と、
前記中間上部プレート形状部の前記他方の側面プレート形状部とは反対側の長辺側に折れ線を介して連接され、所定の大きさを有する横長の長方形に形成されて、仕切りの組み立て時に前記一方の側面プレートの内面に接着される仕切りの一方の中間接着プレートをなす一方の中間接着プレート形状部と、
前記一方の中間接着プレート形状部の前記中間上部プレート形状部とは反対側の長辺側に折れ線を介して連接され、前記中間上部プレート形状部と同じ大きさを有する横長の長方形に形成され、その一方の短辺側から他方の短辺側に向けて所定の間隔で長辺方向に並列に短辺方向に延びる座部を形成するための複数の一対の切り込み線を付設されて、仕切りの組み立て時に仕切りの中間下部プレートをなす中間下部プレート形状部と、
前記中間下部プレート形状部の前記一方の中間接着プレート形状部とは反対側の長辺側に折れ線を介して連接され、所定の大きさを有する横長の長方形に形成されて、仕切りの組み立て時に前記他方の側面プレートの内面に接着される仕切りの他方の中間接着プレートをなす他方の中間接着プレート形状部と、
前記他方の中間接着プレート形状部の前記中間下部プレート形状部とは反対側の長辺側に折れ線を介して連接され、前記中間下部プレート形状部と同じ大きさの横長の長方形に形成され、その一方の短辺側から他方の短辺側に向けて所定の間隔で複数の穴を穿設されて、仕切りの組み立て時に仕切りの中間上部プレートをなす中間上部プレート形状部と、
前記中間上部プレート形状部の前記他方の中間接着プレート形状部とは反対側の長辺側に折れ線を介して連接され、所定の大きさを有する横長の長方形に形成されて、仕切りの組み立て時に前記一方の中間接着プレートの内面に接着される仕切りの他端の接着片をなす他端の接着片形状部と、
を有する。
【０００８】
上記目的を達成するために、本発明は、バイアルその他のボトル形の容器を包装するのに使用する包装用箱において、上記各構成を有する緩衝機能付き仕切りを備える、ことを要旨とする。
【発明の効果】
【０００９】
本発明の緩衝機能付き仕切り及びこれを備えた包装用箱によれば、上記（イ）−（ハ）の構成を備え、中間上部プレートの穴で容器の外周面を保持し、中間下部プレートの座部により、容器の底部を弾性的に支持して、容器に対して側方からの衝撃及び上下方向の衝撃を緩衝、吸収するので、容器に対して側方からの衝撃の緩衝効果とともに、上下方向の衝撃の緩衝効果を向上させることができる、という本発明独自の格別な効果を奏する。
【図面の簡単な説明】
【００１０】
【図１】本発明の一実施の形態における緩衝機能付き仕切り及びこれを備えた包装用箱の構成を包装用箱の一部を破断して示す斜視図
【図２】同包装用箱の（箱のみの）構成を示す斜視図
【図３】同包装用箱（の箱）を構成する紙基材の展開図
【図４】同仕切り（蓋プレートが中間上部プレート上に被せられた状態）の構成を示す斜視図
【図５】同仕切り（蓋プレートが中間上部プレート上から引き起こされた状態）の構成を示す斜視図
【図６】同仕切りの特に中間上部プレート及び穴と蓋プレート及び座部を正面側から見た斜視図
【図７】同仕切りの特に中間上部プレート及び穴と中間下部プレート及び座部と底部プレートを側方から見た斜視図
【図８】同仕切りを構成する紙基材の展開図
【図９】同仕切りが同包装用箱に挿入設置された状態を示す斜視図
【図１０】同包装用箱に同仕切りを介して複数のバイアルが収納された状態を示す斜視図
【図１１】同仕切りにより複数のバイアルが保持された状態を示す斜視図
【図１２】同仕切りにより複数のバイアルが保持された状態を示す側面図
【図１３】同包装用箱に同仕切りを介して複数のバイアルが収納された後、同仕切りの蓋プレートがバイアル上に被せられた状態を示す斜視図
【図１４】同包装用箱に同仕切りを介して複数のバイアルが収納された後、同仕切りの蓋プレートがバイアル上に被せられたときの、箱内部の状態を示す斜視図
【図１５】同包装用箱に同仕切りを介して複数のバイアルが収納された後、同仕切りの蓋プレートがバイアル上に被せられ、さらに同包装用箱の天蓋が閉じられた状態を示す斜視図
【図１６】同包装用箱に同仕切りを介して複数のバイアルが収納された後、同仕切りの蓋プレートがバイアル上に被せられ、さらに同包装用箱の天蓋が閉じられたときの、箱内部の状態を示す斜視図
【図１７】同包装用箱に同仕切りを介して複数のバイアルが収納された後、同仕切りの蓋プレートがバイアル上に被せられ、さらに同包装用箱の天蓋が閉じられたときの、箱内部の状態を示す部分拡大斜視図
【発明を実施するための形態】
【００１１】
次に、この発明を実施するための形態について図を用いて説明する。
図１に示すように、この包装用箱Ｂ（以下、単に箱Ｂという場合がある。）は、薬剤を収納するガラス製のボトルであるバイアルを複数本単位で包装するのに使用する厚紙その他の紙材からなる箱で、この包装用箱Ｂ内に包装用箱Ｂと別体の緩衝機能付き仕切りＨ（以下、単に仕切りＨという場合がある。）が設置され、この仕切りＨにより複数本（この場合、５本）のバイアルを各別に縦置きに保持して包括して収容するようになっている。
【００１２】
図１に示すように、包装用箱Ｂは、略直方体形に形成され、正面板１１、左右両側面板１２、１４及び背面板１３の４側面板と、４側面板で囲まれる天面開口１０１を開閉する天蓋１８及び左右一対の上フラップ１６Ｌ、１６Ｒと、４側面板で囲まれる底面開口１０２を閉塞する前後に２分割された底蓋１９Ｆ、１９Ｒ及び左右一対の下フラップ１７Ｌ、１７Ｒ（図３参照）とを備える。
この場合、包装用箱Ｂは、図２、図３に示すように、全体が横に長い略直方体形に形成され、正面板１１、背面板１３が横に長い長方形に、左右両側面板１２、１４が少し縦長の長方形になっている。なお、図３中、符号１５は４側面のうちの背面板１３と右側面板１４とを連結するための接着片である。天蓋１８は天面開口１０１と略同じ大きさの横長の長方形に形成されて、その先端に差し込み片１８１が併せて形成され、上フラップ１６Ｌ、１６Ｒは略台形に形成される。なお、正面板１１の上端の中間所定の位置には、この位置に接着固定される天蓋１８の差し込み片１８１を切り離すための破断線Ｃ１が略四角形の溝形に形成される。前後の各底蓋１９Ｆ、１９Ｒは箱Ｂの底面が（仮想の前後方向略中央ライン）で前後に２分割された形状で、かつ底面の略中央（仮想の前後方向略中央ライン）で相互に対向する縁部にその略中央（仮想の前後方向略中央ライン）から突出する凸状部１９１とその略中央（仮想の前後方向略中央ライン）に一致する凹状部１９２ａ及びその略中央（仮想の前後方向略中央ライン）から突出する凸状部１９２ｂからなる凹凸状部１９２が対称的に形成される。この底壁１９Ｆ、１９Ｒの場合、縁部は一端から略中心までが底面の略中央（仮想の前後方向略中央ライン）から略台形状に突出する凸状部１９１をなし、縁部の中心から他端方向に向けて底面の仮想の前後方向略中央ラインに一致する凹状部１９２ａをなし、他端が底面の略中央（仮想の前後方向略中央ライン）から略三角形状に突出する凸状部１９２ｂをなし、さらにこの凸状部１９２ｂの外側の斜めの縁部に略三角形状の接着片１９３が併せて設けられる。下フラップ１７Ｌ、１７Ｒは略台形に形成される。このようにして前側の底壁１９Ｆの接着片１９３が近接する左右方向一方の下フラップ、この場合、右側の下フラップ１７Ｒの外側面に接着剤を介して固定されるとともに、後側の底壁１９Ｒの接着片１９３が近接する左右方向他方の下フラップ、この場合、左側の下フラップ１７Ｌの外側面に接着剤を介して固定され、前側の底壁１９Ｆの凸状部１９１が後側の底壁１９Ｒの凹凸状部１９２から後側の底壁１９Ｒの内面に差し込まれるとともに、後側の底壁１９Ｒの凸状部１９１が前側の底壁１９Ｆの凹凸状部１９２から前側の底壁１９Ｆの内面に差し込まれて底面が形成される。かかる箱Ｂの各部の形状及び構造から、この箱Ｂは、底面の一方の対角線を折り畳み線として、相互に隣り合う各側面板が内面を合せて、この場合、正面板１１と右側面板１４、背面板１３と左側面板１２がそれぞれ内面を合せて、かつ前後の各底蓋と正面板及び背面板が内面を合せて、この場合、前側の底壁１９Ｆと正面板１１、後側の底壁１９Ｒと背面板１３がそれぞれ内面を合せて折り畳み可能に構成される。なお、この包装用箱Ｂをバイアルを包装する工場などへ出荷するときは、箱Ｂはワンタッチで折り畳まれ、天蓋１８及び各上フラップ１６Ｌ、１６Ｒがそれぞれ、箱Ｂの背面板１３及び左右の各側面板１２、１４の天面開口１０１側の端部延長上に延ばされた状態が取られる。
【００１３】
図４乃至図７に示すように、緩衝機能付き仕切りＨ（以下、単に仕切りＨという。）は、包装用箱Ｂの相互に対向する両側板、この場合、背面板１３、正面板１１の内面に対接可能な一対の側面プレート２１，２２と、一対の側面プレート２１，２２の間で上部側に架設される中間上部プレート２３、及び中間上部プレート２３にこの中間上部プレート２３の上下面を貫通して形成され、バイアルの外周面に当接して保持可能な穴２３０と、一対の側面プレート２１，２２の間で各側面プレート２１，２２の下部から上方所定の高さに架設される中間下部プレート２４、及び中間下部プレート２４にこの中間下部プレート２４の上下面を貫通して付設された一対の切り込み線２４１によりその間に上下方向に変形可能に形成され、バイアルの底部を弾性的に支持可能な座部２５（図７参照）と備える。
【００１４】
この仕切りＨの場合、一対の側面プレート２１，２２、中間上部プレート２３及び中間下部プレート２４は、図４、図５及び図７に示すように、包装用箱Ｂの内部空間に対応して、水平方向に長く形成され、中間上部プレート２３に複数（この場合、５本）のバイアルを保持可能に複数（この場合、５つ）の穴２３０が設けられ、中間下部プレート２４に中間上部プレート２３の各穴２３０に対応して複数（この場合、５つ）の座部２５が設けられる。
この仕切りＨにおいて、中間上部プレート２３の各穴２３０は、バイアルの外周面に対応する形状に、この場合、バイアルは略円筒状で、バイアルの胴部と略同径の円形に形成されるとともに、この円形の穴２３０の縁部に全周に亘って複数の略三角形状の突起２３１がこの穴２３０の中心に向けて突設される。
また、中間下部プレート２４の各座部２５は、一対の切り込み線２４１が中間下部プレート２４の長辺方向に並列に短辺方向に延び、中央がバイアルの底部全体を支持可能に円弧状に、その（前後）両側が各側面プレート２１，２２に向けて直線的に切り込み形成されて、中央のバイアル支持部２５１と、その両側の支持アーム２５２とからなる。
【００１５】
また、この仕切りＨの場合、中間上部プレート２３は、図５、図７に示すように、一対の側面プレート２１，２２の間の上部側に、バイアルの胴部を外周面の上下所定の位置に当接して保持可能に、上下２段の構成で、相互の間に緩衝空間２６を介して設けられる。この場合、上段の中間上部プレート２３Ｕは一対の側面プレート２１，２２の間の上部に架け渡しされ、下段の中間上部プレート２３Ｄは一対の側面プレート２１，２２の間の上部から下方所定の高さに架け渡しされる。なお、各中間上部プレート２３Ｕ，２３Ｄの各穴２３０は、既述のとおりである。また、この場合、各中間上部プレート２３Ｕ，２３Ｄの両端にそれぞれ外側に向けて略台形に突出するフラップ２３２が設けられる。なお、この場合、中間下部プレート２４の両端に同様のフラップが形成されてもよい。また、このフラップは中間上部プレートの両端又は中間下部プレートの両端のいずれか一方に設けられるものであってもよい。
【００１６】
さらに、この仕切りＨの場合、図７に示すように、一対の側面プレート２１，２２の間で下部に底部プレート２７が架設され、底部プレート２７と中間下部プレート２４との間に緩衝空間２８が形成される。この場合、底部プレート２７は略平板状である。また、図４、図５、図６に示すように、一対の側面プレート２１，２２の一方、この場合、背面側一方の側面プレート２１が上方に延ばされてその上部延長端から略水平方向に向けて蓋プレート２９が形成される。この蓋プレート２９は一方の側面プレート２１の上部延長端に薄形の略角筒状に形成されて、外蓋プレート２９１と、内蓋プレート２９２とを有し、内蓋プレート２９２に中間下部プレート２４の各座部２５に対応して、この内蓋プレート２９２の上下面を貫通して付設された一対の切り込み線２９３によりその間に上下方向に変形可能に形成され、バイアルの上部を弾性的に支持可能な押え部３０を備える。この内蓋プレート２９２の各押え部３０は、一対の切り込み線２９３が、中間下部プレート２４の各座部２５に対応して、内蓋プレート２９２の長辺方向に並列に短辺方向に延び、中央がバイアルの上面全体を支持可能に円弧状に、その（前後）両側が各側面プレート２１，２２に向けて直線的に切り込み形成されて、中央のバイアル押え部３０１と、その両側の支持アーム３０２とからなる。
【００１７】
この仕切りＨは、一枚のブランクシートから一体的に打ち抜かれて形成される一枚の紙基材からなる。
図８にこの紙基材を示している。図８に示すように、この紙基材Ｐは全体として縦長の長方形に形成され、その上下方向略中央の底部プレート形状部２７Ｐと、その一方の長辺側に順次連接される、一方の側面プレート形状部２１Ｐ、外蓋プレート形状部２９１Ｐ、他方の蓋側面プレート形状部２９４Ｐ、内蓋プレート形状部２９２Ｐ、一端の接着片形状部２０１Ｐと、底部プレート形状部２７Ｐの他方の長辺側に順次連接される、他方の側面プレート形状部２２Ｐ、（上段の）中間上部プレート形状部２３（Ｕ）Ｐ、一方の中間接着プレート形状部２０２Ｐ、中間下部プレート形状部２４Ｐ、他方の中間接着プレート形状部２０３Ｐ、（下段の）中間上部プレート形状部２３（Ｄ）Ｐ、他端の接着片形状部２０４Ｐとを備えて構成される。
【００１８】
この場合、底部プレート形状２７Ｐ部は、所定の大きさを有する横長の長方形に形成され、仕切りの組み立て時に仕切りの底部プレート２７をなす。
一方の側面プレート形状部２１Ｐは、底部プレート形状部２７Ｐの一方の長辺側に折れ線Ｌ１を介して連接され、所定の大きさを有する横長の長方形に形成されて、仕切りＨの組み立て時に仕切りＨの一方の蓋側面プレート２１４を含む一方の側面プレート２１をなす。
外蓋プレート形状部２９１Ｐは、一方の側面プレート形状部２１の底部プレート形状部２７Ｐとは反対側の長辺側に折れ線Ｌ２を介して連接され、所定の大きさを有する横長の長方形に形成されて、仕切りＨの組み立て時に仕切りＨの外蓋プレート２９１をなす。
他方の蓋側面プレート形状部２９４Ｐは、外蓋プレート形状部２９１Ｐの一方の側面プレート形状部２１Ｐとは反対側の長辺側に折れ線Ｌ３を介して連接され、所定の大きさを有する横長の長方形に形成されて、仕切りＨの組み立て時に仕切りＨの他方の蓋側面プレート２９４をなす。
内蓋プレート形状部２９２Ｐは、他方の蓋側面プレート形状部２９４Ｐの外蓋プレート形状部２９１Ｐとは反対側の長辺側に折れ線Ｌ４を介して連接され、外蓋プレート形状部２９１Ｐと同じ大きさを有する横長の長方形に形成され、その一方の短辺側から他方の短辺側に向けて所定の間隔で長辺方向に並列に短辺方向に延びる押え部３０を形成するための複数の一対の切り込み線２９３を付設されて、仕切りＨの組み立て時に仕切りＨの内蓋プレート２９２をなす。この場合、この一対の切り込み線２９３は、内蓋プレート形状部２９２Ｐの長辺方向に並列に短辺方向に延び、中央がバイアルの上面全体を支持可能に円弧状に、その（前後）両側が直線的に切り込み形成されて、中央のバイアル押え部形状部３０１Ｐと、その両側の支持アーム形状部３０２Ｐとを有する。また、この場合、外蓋プレート形状部２９１Ｐ、他方の蓋側面プレート形状部２９４Ｐ、及び内蓋プレート形状部２９２Ｐの、仕切りＨの組み立て時に包装用箱Ｂの正面板１１の上端の破断線Ｃ１に対応する位置に、これらのプレート形状部間に跨って、略矩形状の開口２１０Ｐが併せて形成される。
一端の接着片形状部２０１Ｐは、内蓋プレート形状部２９２Ｐの他方の蓋側面プレート形状部２９４Ｐとは反対側の長辺側に折れ線Ｌ５を介して連接され、所定の大きさを有する横長の長方形に形成されて、仕切りＨの組み立て時に一方の側面プレート２１の内面に接着される仕切りＨの一端の接着片２０１（図６参照）をなす。
他方の側面プレート形状部２２Ｐは、底部プレート形状部２７Ｐの他方の長辺側に折れ線Ｌ６を介して連接され、一方の側面プレート形状部２１Ｐと同じ長さで一方の側面プレート形状部２１Ｐよりも幅が短い横長の長方形に形成されて、仕切りＨの組み立て時に仕切りＨの他方の側面プレート２２をなす。
（上段の）中間上部プレート形状部２３（Ｕ）Ｐは、他方の側面プレート形状部２２Ｐの底部プレート形状部２７Ｐとは反対側の長辺側に折れ線Ｌ７を介して連接され、外蓋プレート形状部２９１Ｐ、内蓋プレート形状部２９２Ｐと同じ大きさの横長の長方形に形成され、その一方の短辺側から他方の短辺側に向けて所定の間隔で複数の穴２３０を穿設されて、仕切りＨの組み立て時に仕切りＨの中間上部プレート２３Ｕをなす。この中間上部プレート形状部２３（Ｕ）Ｐにおいて、複数の穴２３０はそれぞれ、バイアルの外周面に対応する形状に、この場合、バイアルは略円筒状で、バイアルの胴部と略同径の円形に形成されるとともに、この円形の穴２３０の縁部に全周に亘って複数の略三角形状の突起２３１がこの穴２３０の中心に向けて突設される。また、この場合、中間上部プレート形状部２３（Ｕ）Ｐの両端にそれぞれ外側に向けて略台形に突出するフラップ形状部２３２Ｐが併せて形成される。
一方の中間接着プレート形状部２０２Ｐは、（上段の）中間上部プレート形状部２３（Ｕ）Ｐの他方の側面プレート形状部２２Ｐとは反対側の長辺側に折れ線Ｌ８を介して連接され、所定の大きさを有する横長の長方形に形成されて、仕切りＨの組み立て時に一方の側面プレート２１の内面に接着される仕切りＨの一方の中間接着プレート２０２（図７参照）をなす。
中間下部プレート形状部２４Ｐは、一方の中間接着プレート形状部２０２Ｐの中間上部プレート形状部２３（Ｕ）Ｐとは反対側の長辺側に折れ線Ｌ９を介して連接され、中間上部プレート形状部２３（Ｕ）Ｐと同じ大きさを有する横長の長方形に形成され、その一方の短辺側から他方の短辺側に向けて所定の間隔で長辺方向に並列に短辺方向に延びる座部２５を形成するための複数の一対の切り込み線２４１を付設されて、仕切りＨの組み立て時に仕切りＨの中間下部プレート２４をなす。この中間下部プレート形状部２４Ｐにおいて、複数の一対の切り込み線２４１はそれぞれ、中間下部プレート形状部２４Ｐの長辺方向に並列に短辺方向に延び、中央がバイアルの底部全体を支持可能に円弧状に、その（前後）両側が直線的に切り込み形成されて、中央のバイアル支持部２５１と、その両側の支持アーム２５２とを有する。
他方の中間接着プレート形状部２０３Ｐは、中間下部プレート形状部２４Ｐの一方の中間接着プレート形状部２０２Ｐとは反対側の長辺側に折れ線Ｌ１０を介して連接され、所定の大きさを有する横長の長方形に形成されて、仕切りＨの組み立て時に他方の側面プレート２２の内面に接着される仕切りＨの他方の中間接着プレート２０３（図７参照）をなす。
（下段の）中間上部プレート形状部２３（Ｄ）Ｐは、他方の中間接着プレート形状部２０３Ｐの中間下部プレート形状部２４Ｐとは反対側の長辺側に折れ線Ｌ１１を介して連接され、中間下部プレート形状部２４Ｐと同じ大きさの横長の長方形に形成され、その一方の短辺側から他方の短辺側に向けて所定の間隔で複数の穴２３０を穿設されて、仕切りＨの組み立て時に仕切りＨの中間上部プレート２３Ｄをなす。この中間上部プレート形状部２３（Ｄ）Ｐにおいて、複数の穴２３０はそれぞれ、バイアルの外周面に対応する形状に、この場合、バイアルは略円筒状で、バイアルの胴部と略同径の円形に形成されるとともに、この円形の穴２３０の縁部に全周に亘って複数の略三角形状の突起２３１がこの穴２３０の中心に向けて突設される。また、この場合、中間上部プレート形状部２３（Ｄ）Ｐの両端にそれぞれ外側に向けて略台形に突出するフラップ形状部２３２Ｐが併せて形成される。
他端の接着片形状部２０４Ｐは、中間上部プレート形状部２３（Ｄ）Ｐの他方の中間接着プレート形状部２０３Ｐとは反対側の長辺側に折れ線Ｌ１２を介して連接され、所定の大きさを有する横長の長方形に形成されて、仕切りＨの組み立て時に一方の中間接着プレート２０２の内面に接着される仕切りの他端の接着片２０４（図７参照）をなす。
【００１９】
このような構成からなる紙基材Ｐは、各形状部が次のように折り曲げられ、各接着箇所が接着されて、仕切りＨが組み立てられる。
この仕切りＨの組み立てについて、主として図８を用い、必要に応じて図４及び図５を参照して説明する。なお、この説明では、仕切りＨの各形状部の組み立てについて経時的に述べるが、これは、この仕切りＨの実際の組み立て方を説明するものではなく、単に、仕切りＨの各形状部と仕切りＨの各面とを対応させた説明である。
図８において、まず、他端の接着片形状部２０４Ｐの外側面が仕切りＨの背面とする方向に向けられた状態から、この他端の接着片形状部２０４Ｐに対して折れ線Ｌ１２を介して（下段の）中間上部プレート形状部２３（Ｄ）Ｐがその外側面を仕切りＨの天面とする方向に向けて略直角に折り曲げられ、他端の接着片２０４、下段の中間上部プレート２３Ｄが形成される。続いて、この下段の中間上部プレート２３Ｄに対して折れ線Ｌ１１を介して他方の中間接着プレート形状部２０３Ｐがその外側面を仕切りＨの正面とする方向に向けて略直角に折り曲げられ、他方の中間接着プレート２０３が形成される。これに続いて、他方の中間接着プレート２０３に対して折れ線Ｌ１０を介して中間下部プレート形状部２４Ｐがその外側面を仕切りＨの底面とする方向に向けて略直角に折り曲げられて、中間下部プレート２４が形成される。続いて、中間下部プレート２４に対して折れ線Ｌ９を介して一方の中間接着プレート形状部２０２Ｐがその外側面を仕切りＨの背面とする方向に向けて略直角に折り曲げられて、一方の中間接着プレート２０２が形成される。この時点で、この一方の中間接着プレート２０２の内面に他端の接着片２０４の外側面が重合され、この両者間が接着剤を介して接着される。続いて、一方の中間接着プレート２０２に対して折れ線Ｌ８を介して（上段）の中間上部プレート形状部２３（Ｕ）Ｐがその外側面を仕切りＨの天面とする方向に向けて略直角に折り曲げられ、上段の中間上部プレート２３Ｕが形成される。続いて、中間上部プレート２３Ｕに対して折れ線Ｌ７を介して他方の側面プレート形状部２２Ｐがその外側面を仕切りＨの正面とする方向に向けて略直角に折り曲げられて、他方の側面プレート２２が形成される。続いて、他方の側面プレート２２に対して折れ線Ｌ６を介して底部プレート形状部２７Ｐがその外側面を仕切りＨの底面とする方向に向けて略直角に折り曲げられ、底部プレート２７が形成される。続いて、底部プレート２７に対して折れ線Ｌ１を介して一方の側面プレート形状部２１Ｐがその外側面を仕切りＨの背面とする方向に向けて略直角に折り曲げられ、一方の側面プレート２１が形成される。続いて、一方の側面プレート２１に対して折れ線Ｌ２を介して外蓋プレート形状部２９１Ｐがその外側面を仕切りＨの天面とする方向に向けて略直角に折り曲げられ、外蓋プレート２９１が形成される。続いて、外蓋プレート２９１に対して折れ線Ｌ３を介して他方の蓋側面プレート形状部２９４Ｐがその外側面を仕切りＨの正面とする方向に向けて略直角に折り曲げられ、他方の蓋側面プレート２９４が形成される。続いて、他方の蓋側面プレート２９４に対して折れ線Ｌ４を介して内蓋プレート形状部２９２Ｐがその外側面を仕切りＨの底面とする方向に向けて略直角に折り曲げられ、内蓋プレート２９２が形成される。なお、外蓋プレート２９１、他方の蓋側面プレート２９４、及び内蓋プレート２９２の各プレート間に跨って形成された略矩形状の開口２１０Ｐは略矩形状の溝２１０となる。これに続いて、内蓋プレート２９２に対して折れ線Ｌ５を介して一端の接着片形状部２０１Ｐがその外側面を仕切りＨの正面とする方向に向けて略直角に折り曲げられ、一端の接着片２０１が形成される。この時点で、この一端の接着片２０１の内面が一方の側面プレート２１の内面に重合され、この両者間が接着剤を介して接着される。これにより、仕切りＨが、底部プレート２７と一方の側面プレート２１との間の折れ線Ｌ１を折り畳み線として、全体が扁平状に折り畳み可能に、組み立てられる。
このようにして仕切りＨはワンタッチで折り畳まれ、箱Ｂとともにバイアルを包装する工場などへ出荷される。
そして、バイアルを包装する工場では、箱Ｂ、仕切りＨが次のようにして組み立てられる。
この場合、まず、図２、図３を参照すると、箱Ｂは、既述のとおりに折り畳まれた状態から、右側面板１４に対して正面板１１を引き離し、左側面板１２に対して背面板１３を引き離すように、４側面を起こすと、正面板１１及び右側面板１４との間から前側の底蓋１９Ｆが一方の対角線上の折り畳み線を介して曲げ戻されるとともに背面板１３及び左側面板１２との間から後側の底蓋１９Ｒが一方の対角線上の折り畳み線を介して曲げ戻されて、各底蓋１９Ｆ、１９Ｒの対向する縁部が底面の中央で合わせられるとともに、前側の底蓋１９Ｆの縁部の凸状部１９１が後側の底蓋１９Ｒの縁部の凹凸状部１９２から後側の底蓋１９Ｒの内側に差し込まれ、後側の底蓋１９Ｒの縁部の凸状部１９１が前側の底蓋１９Ｆの縁部の凹凸状部１９２から前側の底蓋１９Ｆの内側に差し込まれた状態の略四角形状に戻されて、底面が形成され、箱Ｂの底面開口１０２が閉塞される。これにより、図２に示すように、箱Ｂは天蓋１８及び各上フラップ１６Ｌ、１６Ｒが背面板１３及び左右の各側面板１２、１４の上部延長上に延ばされた状態の箱形に戻される。このようにして箱Ｂはワンタッチで組み立てられる。
次に、図５、図７及び図８を参照すると、仕切りＨは、底部プレート２７と一方の側面プレート２１との間の折り畳み線（折れ線Ｌ１）を中心に、一方の側面プレート２１から底部プレート２７を引き離して、各中間上部プレート２３Ｕ，２３Ｄ、中間下部プレート２４、底部プレート２７、及び他方の側面プレート２２を起こすと、一方の側面プレート２１から各中間上部プレート２３Ｕ，２３Ｄ、中間下部プレート２４、底部プレート２７、及び他方の側面プレート２２が曲げ戻されて、仕切りＨの形に戻される。このようにして仕切りＨはワンタッチで組み立てられる。
このようにして仕切りＨは、図９に示すように、箱Ｂ内に相互の向きを合わせて挿入設置される。
【００２０】
このように組み立てられた包装用箱Ｂには、図１０、図１１及び図１２に示すように、バイアルＶが複数本ずつ（この場合は５本ずつ）、それぞれ、バイアルＶの外周面上下所定の位置が上下段の各中間上部プレート２３の各穴２３０に保持され、バイアルＶの底部が中間下部プレート２４の各座部２５に弾性的に支持されて、縦置きに収納される。
そして、バイアルＶの収納後、図１３及び図１４に示すように、箱Ｂ内で仕切りＨの蓋プレート２９が各バイアルＶの上部に被せられて、図１５に示すように、箱Ｂの天面開口１０１が天蓋１８などにより閉塞され、天蓋１８の差し込み片１８１が正面板１１の内側に差し込まれて、封緘テープにより封じられる。これによりバイアルＶの包装を完了する。
このようにして、図１６に示すように、包装用箱Ｂ内で各バイアルＶの外周面が上下２段の各中間上部プレート２３の各穴２３０に保持され、各バイアルＶ底部が中間下部プレート２４の各座部２５により弾性的に支持され、さらに、図１７に示すように、各バイアルＶの上部が蓋プレート２９の内蓋プレート２９２の各押え部３０により上から弾性的に押えられることで、箱Ｂ内の各バイアルＶに対して側方からの衝撃は上下２段の各中間上部プレート２３の各穴２３０の保持により緩衝、吸収され、上下方向の衝撃は、中間下部プレート２４の各座部２５（バイアル支持部２５１及び支持アーム２５２）及び内蓋プレート２９２の各押え部３０（バイアル押え部３０１及び支持アーム３０２）の上下方向の動きがクッションとなって、緩衝、吸収される。
バイアルＶを使用する際は、この箱Ｂの天蓋１８を引き上げ、さらに仕切りＨの蓋プレート２９も引き上げることにより、天面開口１０１が開放され、バイアルＶを１本ずつ取り出すことができる。なお、仕切りＨの溝２１０があることで（図１４参照）、この溝２１０に指を掛けることができ、仕切りＨの蓋プレート２９を容易に引き上げることができる。
【００２１】
以上説明したように、この緩衝機能付き仕切りＨ及びこれを備えた包装用箱Ｂによれば、箱Ｂの相互に対向する両側板１３，１１の内面に対接可能な水平方向に長い一対の側面プレート２１，２２と、一対の側面プレート２１，２２の間で上部側に架設される水平方向に長い中間上部プレート２３、及び中間上部プレート２３にこの中間上部プレート２３の上下面を貫通して形成され、バイアルの外周面に当接して保持可能な複数の穴２３０と、一対の側面プレート２１，２２の間でこの各側面プレート２１，２２の下部から所定の高さに架設される水平方向に長い中間下部プレート２４、及び中間下部プレート２４にこの中間下部プレート２４の上下面を貫通して付設された一対の切り込み線２４１によりその間に上下方向に変形可能に形成され、バイアルの底部を弾性的に支持可能な複数の座部２５とを備え、バイアルに対して側方からの衝撃及び上下方向の衝撃を緩衝、吸収するようにしたので、バイアルに対して側方からの衝撃の緩衝効果とともに、上下方向の衝撃の緩衝効果を向上させることができる。
【００２２】
また、この仕切りＨ及びこれを備えた包装用箱Ｂでは、各部に次のような構成を備えたことで、さらに次のような作用効果を奏する。
（１）中間上部プレート２３を一対の側面プレート２１，２２の間の上部側に上下２段にして相互の間に緩衝空間２６を介して設けたので、バイアルの外周面を上下２箇所で保持することができ、バイアルに対して側方からの衝撃の緩衝効果をさらに向上させることができる。
（２）中間上部プレート２３の穴２３０を、バイアルの外周面に対応する形状に形成するとともに、この穴２３０の縁部に複数の突起２３１を穴２３０の中心に向けて突設したので、この穴２３０にバイアルを挿入したときに、各突起２３１が下方に向けて押され下向きになってバイアルの外周面に接触されるので（図１４参照）、バイアルの浮き上がりを防止してバイアルをしっかり固定することができ、バイアルに対して側方からの衝撃の緩衝効果をより向上させることができる。
（３）中間上部プレート２３及び／又は中間下部プレート２４の両端にそれぞれ外側に向けて突出するフラップ２３２を具備するので、仕切りＨを箱Ｂ内に挿入設置したときに、各フラップ２３２が箱Ｂの左右両側面板１２，１４の内面に押されて上向きになって左右両側面板１２，１４の内面に接触されるので、箱Ｂ内での仕切りＨの浮き上がりを防止して、仕切りＨを箱Ｂ内に安定的に設置することができる。
（４）一対の側面プレート２１，２２の間で下部に底部プレート２７を架設し、この底部プレート２７と中間下部プレート２４との間に緩衝空間２８を形成したので、仕切りＨを箱Ｂ内に安定的に設置することができ、また、バイアルの底部を箱Ｂの底面に直接接触させることなく、バイアルを中間下部プレート２４の座部２５のクッション作用により確実に保護することができる。
（５）一対の側面プレート２１，２２の一方を上方に延ばしてその延長端から略水平方向に向けて蓋プレート２９を形成したので、箱Ｂ内に収納するバイアルの上部を保護することができる。また、この場合、蓋プレート２９を一方の側面プレート２１の延長端に薄形の略角筒状に形成して、外蓋プレート２９１と、内蓋プレート２９２とを設け、内蓋プレート２９２にこの内蓋プレート２９２の上下面を貫通して付設した一対の切り込み線２９３によりその間に上下方向に変形可能に形成し、バイアルの上部を弾性的に支持可能な押え部３０を備え、バイアルに対して上下方向の衝撃を緩衝、吸収するようにしたので、バイアルの上部を箱Ｂの天蓋１８に直接接触させることなく、バイアルを蓋プレート２９の押え部３０のクッション作用により確実に保護することができ、中間下部プレート２４の座部２５との相乗効果により、バイアルに対して上下方向の衝撃の緩衝効果をより向上させることができる。
（６）仕切りＨ全体が、一枚のブランクシートから一体的に打ち抜かれて形成される一枚の紙基材Ｐからなり、この紙基材Ｐを、既述のとおり、全体として縦長の長方形に形成し、
その上下方向略中央の底部プレート形状部２７Ｐと、その一方の長辺側に順次連接される、一方の側面プレート形状部２１Ｐ、外蓋プレート形状部２９１Ｐ、他方の蓋側面プレート形状部２９４Ｐ、内蓋プレート形状部２９２Ｐ、一端の接着片形状部２０１Ｐと、底部プレート形状部２７Ｐの他方の長辺側に順次連接される、他方の側面プレート形状部２２Ｐ、（上段の）中間上部プレート形状部２３（Ｕ）Ｐ、一方の中間接着プレート形状部２０２Ｐ、中間下部プレート形状部２４Ｐ、他方の中間接着プレート形状部２０３Ｐ、（下段の）中間上部プレート形状部２３（Ｄ）Ｐ、他端の接着片形状部２０４Ｐとを備えて構成したので、仕切りＨをワンタッチで折り畳み可能に組み立てることができ、バイアルの包装を容易に行うことができる。
【００２３】
なお、この実施の形態では、複数のバイアルを収納するため、一対の側面プレート、中間上部プレート及び中間下部プレートをそれぞれ水平方向に長く（横長に）形成し、中間上部プレートに複数の穴を設け、中間下部プレートに中間上部プレートの各穴に対応して複数の座部を設けたが、バイアルを１本だけ収納する場合は、当然のことながら、箱の長さが短くなり、一対の側面プレート、中間上部プレート及び中間下部プレートをそれぞれ短く形成し、中間上部プレートに穴を１つ設け、中間下部プレートに座部を１つ設ければよい。このようにしてバイアル１本用としても、上記実施の形態と同様の作用効果を得ることができる。
また、この実施の形態では、バイアル包装用の仕切り及び箱を例示したが、バイアルに限定されることなく、その他のボトル形の容器を包装する場合にも同様に適用することができ、同様の作用効果を奏することができることは勿論である。
【符号の説明】
【００２４】
Ｂ  包装用箱
１０１  天面開口
１０２  底面開口
１１  正面板
Ｃ１  破断線
１２  左側面板
１３  背面板
１４  右側面板
１５  接着片
１６Ｌ  上フラップ
１６Ｒ  上フラップ
１７Ｌ  下フラップ
１７Ｒ  下フラップ
１８  天蓋
１８１  差し込み片
１９Ｆ  前側の底蓋
１９Ｒ  後側の底蓋
１９１  凸状部
１９２  凹凸状部（１９２ａ  凹状部、１９２ｂ  凸状部）
１９３  接着片
Ｈ  緩衝機能付き仕切り
２１  側面プレート
２１０  溝
２１４  一方の蓋側面プレート
２２  側面プレート
２３０  穴
２３１  突起
２３２  フラップ
２３  中間上部プレート
２３Ｕ  上段の中間上部プレート
２３Ｄ  下段の中間上部プレート
２４  中間下部プレート
２４１  一対の切り込み線
２５  座部
２５１  バイアル支持部
２５２  支持アーム
２６  緩衝空間
２７  底部プレート
２８  緩衝空間
２９  蓋プレート
２９１  外蓋プレート
２９２  内蓋プレート
２９３  一対の切り込み線
２０１  接着片
３０  押え部
３０１  バイアル押え部
３０２  支持アーム
Ｐ  紙基材
２１Ｐ  側面プレート形状部
２１０Ｐ  開口
２２Ｐ  側面プレート形状部
２３（Ｕ）Ｐ  上段の中間上部プレート形状部
２３（Ｄ）Ｐ  下段の中間上部プレート形状部
２３０  穴
２３１Ｐ  突起形状部
２３２Ｐ  フラップ形状部
２４Ｐ  中間下部プレート形状部
２４１  一対の切り込み線
２５Ｐ  座部形状部
２７Ｐ  底部プレート形状部
２９１Ｐ  外蓋プレート形状部
２９２Ｐ  内蓋プレート形状部
２９３  一対の切り込み線
２９４Ｐ  他方の蓋側面プレート形状部
３０Ｐ  押え部形状部
３０１Ｐ  バイアル押え部形状部
３０２Ｐ  支持アーム形状部
２０１Ｐ  一端の接着片形状部
２０２Ｐ  一方の中間接着プレート形状部
２０３Ｐ  他方の中間接着プレート形状部
２０４Ｐ  他端の接着片形状部
Ｌ１〜Ｌ１２  折れ線
Ｖ  バイアル
【図１】
2016150775.tif 000003
【図２】
2016150775.tif 000004
【図３】
2016150775.tif 000005
【図４】
2016150775.tif 000006
【図５】
2016150775.tif 000007
【図６】
2016150775.tif 000008
【図７】
2016150775.tif 000009
【図８】
2016150775.tif 000010
【図９】
2016150775.tif 000011
【図１０】
2016150775.tif 000012
【図１１】
2016150775.tif 000013
【図１２】
2016150775.tif 000014
【図１３】
2016150775.tif 000015
【図１４】
2016150775.tif 000016
【図１５】
2016150775.tif 000017
【図１６】
2016150775.tif 000018
【図１７】
2016150775.tif 000019